(57)【要約】      （修正有）【課題】着座者が着座したまま後ろを振り向く等の動きに追随して背凭れ面の形状を三次元的に変化させることができる椅子を実現する。【解決手段】背凭れ面の上部を支持する複数の上フレーム要素１４１ａ、１４１ｂの各々を、背凭れ面の下部を支持する下フレーム要素１３１ａ、１３１ｂを変位させることなく個別に前後方向に変位させ得るものとするため、幅方向に離間させて配置したフレーム要素１４１ａ、１４１ｂにより背凭れ面の上部を支持させた背凭れ１を具備する椅子において、各フレーム要素１４１ａ、１４１ｂを互いに独立して前後動可能とした。【選択図】図８
2011120933.tif 000002
【特許請求の範囲】
【請求項１】
幅方向に離間させて配置した複数のフレーム要素により背凭れ面の上部を支持させた背凭れを具備する椅子であって、
各フレーム要素を互いに独立して前後動可能としたことを特徴とする椅子。
【請求項２】
背凭れ面の上部を支持する複数の上フレーム要素の各々を、背凭れ面の下部を支持する下フレーム要素を変位させることなく個別に前後方向に変位させ得るものとした請求項１記載の椅子。
【請求項３】
前記上フレーム要素を前記下フレーム要素にそれぞれヒンジを介して連結して、上フレーム要素の一方を他方に対し相対的に後傾させ得るようにした請求項２記載の椅子。
【請求項４】
背凭れ面の上部を支持するフレーム要素の背面に連接し弾性変形により反力を蓄積する反力フレーム要素を設けている請求項１、２または３記載の椅子。
【請求項５】
背凭れ面の上部を支持する複数のフレーム要素を弾性変形可能な横架材を介して相互に連結している請求項１、２、３または４記載の椅子。
【請求項６】
前記横架材は、前記フレーム要素を幅方向に離反させるような初期弾性力を発揮する状態で組み付けてある請求項５記載の椅子。
【請求項７】
前記横架材は、平面視湾曲形状をなす状態で組み付けてあり、前記フレーム要素の一方が他方に対し相対的に前後動するに際して曲率を減少させるように変形する請求項５または６記載の椅子。
【請求項８】
複数のフレーム要素の前面に弾性変形可能な張り部材を張り設けて背凭れ面を構成している請求項１、２、３、４、５、６または７記載の椅子。
【発明の詳細な説明】
【技術分野】
【０００１】
本発明は、着座者の身体の動きに追随して背凭れ面の形状を三次元的に変化させることが可能な椅子に関する。
【背景技術】
【０００２】
左右両側に対をなすフレーム要素間に張り部材を架け渡して背凭れ面を構成した椅子が公知である。例えば、下記特許文献には、背凭れ面の上部を上フレーム要素に支持させ、背凭れ面の下部を下フレーム要素に支持させてなり、これら上フレーム要素、下フレーム要素の水平軸回りの回動操作を通じて着座者個々人の体躯や背骨形状に合わせた背凭れ面を成形し得る椅子が開示されている。
【先行技術文献】
【特許文献】
【０００３】
【特許文献１】特開２００２−１１９３７５号公報
【特許文献２】特開２００２−１１９３７３号公報
【発明の概要】
【発明が解決しようとする課題】
【０００４】
ところで、日常では、椅子に着座したままで振り向いたり、手を伸ばしたり、身体をねじったりすることが少なくない。その契機は、他者に呼びかけられてそちらの方を向く、後ろにある物品を手に取る、ストレッチで身体をほぐす等様々であるが、これまでの椅子ではこのような着座者の動きに追随することは考えられていなかった。
【０００５】
より具体的に述べると、椅子に着座したままで振り向いたり、手を伸ばしたり、身体をねじったりするとき、左半身または右半身を相対的に後ろに下げることになる。しかしながら、上記例の如き既存の椅子では、左右両側のフレーム要素が横架材を介して相互に剛体連結され、これらフレーム要素が一体的に前後動することから、背凭れ面の左側部のみ、または右側部のみを後方に変位させることができない。故に、着座者が後ろを振り向く等の動きに追随して背凭れ面を変形させることは不可能であり、着座者の所作を制限することにつながっていた。
【０００６】
本発明は、以上の問題に初めて着目してなされたものであって、着座者が着座したまま後ろを振り向く等の動きに追随して背凭れ面の形状を三次元的に変化させることができる椅子を実現しようとするものである。
【課題を解決するための手段】
【０００７】
上述した課題を解決するべく、本発明では、幅方向に離間させて配置した複数のフレーム要素により背凭れ面の上部を支持させた背凭れを具備する椅子において、各フレーム要素を互いに独立して前後動可能とした。ここで、背凭れ面とは、張り部材、クッション材やその他の部材を要素として構成され、着座者の身体を支持してその荷重を受けるもの一般をいう。また、互いに独立して前後動可能とは、一方のフレーム要素を他方のフレーム要素に対し相対的に前後方向に変位させ得ることを意味する。このようなものであれば、背凭れ面の上部の左半部のみ、または右半部のみを後方に変位させることが可能となる。そして、着座者が後ろを振り向く等の動きに追随して背凭れ面の形状を三次元的に変化させることができ、着座者の所作を徒に制限せずその身体を好適に支持し続ける良好な座り心地の椅子が実現される。
【０００８】
好ましくは、背凭れ面の上部を支持する複数の上フレーム要素の各々を、背凭れ面の下部を支持する下フレーム要素を変位させることなく個別に前後方向に変位させ得るものとする。着座者が後ろを振り向くような所作を行うとき、首や肩、背中はねじられて大きく向きを変えるが、腰よりも下の身体部位はそれほど向きを変えないのが自然な体位である。よって、背凭れ面についても、着座者の腰部近傍よりも下方ではあまりフレキシブルに変形しない方が却って使い勝手がよく、着座者に余計な負担をかけにくいと考えられる。
【０００９】
背凭れ面の全体を一体的に傾動させる動作と、背凭れ面の上部のみを傾動させる動作とを選択的に実行可能な椅子とするには、前記上フレーム要素を前記下フレーム要素にそれぞれヒンジを介して連結して、上フレーム要素の一方を他方に対し相対的に後傾させ得るように構成することが簡便である。
【００１０】
背凭れ面の上部を支持するフレーム要素の背面に連接し弾性変形により反力を蓄積する反力フレーム要素を設け、反力フレーム要素によってフレーム要素を後方より支持するものとすれば、ヒンジ部分に巻きばね等を内装する必要がなく、ヒンジ部分を肥大化させずに済む。並びに、反力フレーム要素を背フレームの一部であるかのような外観に成形して、反力フレーム要素の存在に違和感を持たせない、ひいては家具としての美観、格調を保つことも可能である。
【００１１】
背凭れ面の上部を支持するフレーム要素は、背凭れ面を介して間接的に着座者の荷重を受けて幅方向に倒れようとするため、それら複数のフレーム要素を弾性変形可能な横架材を介して相互に連結しておくことが望ましい。
【００１２】
背凭れ面に荷重がかかりフレーム要素が内側方に倒れ込もうとすることに対して、前記横架材を、前記フレーム要素を幅方向に離反させるような初期弾性力を発揮する状態で組み付けておけば、フレーム要素及びヒンジに加わる負荷を打ち消し低減することができる。
【００１３】
また、着座者の動きに伴い、フレーム要素の一方が他方に対し相対変位してフレーム要素同士の離間距離が増大する。従って、前記横架材を、平面視湾曲形状をなす状態で組み付け、前記フレーム要素の一方が他方に対し相対的に前後動するに際して曲率を減少させるように変形するものとして、フレーム要素同士の離間距離の増大に対応できるようにする。
【００１４】
その上で、複数のフレーム要素の前面に弾性変形可能な張り部材を張り設けて背凭れ面を構成することにより、着座者の様々な動きに追随して変形し、身体の広範囲にフィットして、負担の少ない柔らかな座り心地を提供できる。
【発明の効果】
【００１５】
本発明によれば、着座者が着座したまま後ろを振り向く等の動きに追随して背凭れ面の形状を三次元的に変化させることができる椅子が実現される。
【図面の簡単な説明】
【００１６】
【図１】本発明の一実施形態の椅子を正面側から見た斜視図。
【図２】同椅子を背面側から見た斜視図。
【図３】同椅子の側面図。
【図４】同椅子の背面図
【図５】同椅子の平面図。
【図６】同椅子のシンクロロッキング動作を示す側面図。
【図７】同椅子の上フレーム要素を後方に変位させた状態を示す側面図。
【図８】図椅子の背凭れ面変形動作を示す斜視図。
【図９】同椅子の背凭れ面変形動作を示す平面図。
【図１０】同椅子の張り地及びバックアップ材を示す要部分解斜視図。
【図１１】同椅子の張り地のバックアップ材への装着の態様を示す要部平断面図。
【図１２】同椅子の上フレーム要素と弾性横架材との連結の態様を示す要部平断面図。
【図１３】本発明の一変形例に係る椅子を示す斜視図。
【図１４】同椅子の平面図。
【図１５】同椅子の背凭れ面変形動作を示す平面図。
【図１６】本発明の一変形例に係る椅子を示す側面図。
【図１７】本発明の一変形例に係る椅子を示す側面図。
【図１８】本発明の一変形例に係る椅子を示す側面図。
【発明を実施するための形態】
【００１７】
以下、本発明の一実施形態を、図面を参照して説明する。本実施形態の椅子は、図１ないし図５に示すように、脚体４と、脚体４に支持させた基体２と、基体２上に配設した座３と、水平支軸１６を介して基体２に枢着した背凭れ１とを具備し、座３及び背凭れ１が連動して傾動するシンクロロッキング動作が可能なものである。
【００１８】
詳述すると、脚体４は、複数個のキャスターを装着している脚羽根４１と、脚羽根４１の中央より略垂直に立ち上がる脚支柱４２とを備えており、脚羽根４１と脚支柱４２との間に介設したガススプリング（図示せず）の伸縮により脚支柱４２を上下に突没させ得る。
【００１９】
基体２は脚支柱４２の上端に固定してあって、脚支柱４２の突没操作を通じて座３及び背凭れ１の高さ位置を調節することができる。基体２には、水平支軸１６回りに回動する背凭れ１を前方へ付勢する弾性付勢機構（図示せず）、背凭れ１のロッキング角度を固定する固定機構（図示せず）等を内蔵している。弾性付勢機構は、コイルスプリングやガススプリングを実装して背フレーム１１を弾性付勢するものである。固定機構は、例えば背フレーム１１側に設けた複数段の凹の何れかに選択的に爪を係合させてロッキング角度を固定するものとするが、弾性付勢機構にプッシュロック式のガススプリングを使用している場合にはそのバルブを駆動してガススプリングの伸縮動作を禁止する態様をとり得る。
【００２０】
座３は、座受３１に座面を構成するクッション体３２を装着してなる。クッション体３２は、例えば合成繊維のダブルラッセルメッシュの上にウレタンクッション材を重ね合わせた二層構造をなし、下層のメッシュが衝撃を吸収しつつ適度な弾力性を担保し、上層のウレタンクッション材が姿形の安定性を保つ。座３の前端部は、基体２に対し前後方向にスライド移動可能に支持させており、座３の後端部は、下記背フレーム１１における下フレーム部１３にヒンジ（図示せず）を介して取着している。
【００２１】
背凭れ１は、背フレーム１１の前面に背凭れ面Ｓを構成する張り部材１２を張り設けたものである。背フレーム１１は、基体２に対し水平支軸１６回りに回動可能に連結している下フレーム部１３と、下フレーム部１３の上端にヒンジ１７を介して連結している上フレーム部１４と、上フレーム部１４を後方より支持する反力フレーム部１５とを備えている。
【００２２】
下フレーム部１３は、幅方向に離間させて配置した左右の下フレーム要素１３１ａ、１３１ｂ同士を、剛性横架材１３２を以て相互に連結してなる。下フレーム要素１３１ａ、１３１ｂ、剛性横架材１３２はともに、例えば金属製の剛体である。下フレーム要素１３１ａ、１３１ｂは、側面視水平支軸１６の位置する前端から後方に延伸し、後端で上方に屈曲した略Ｌ字型をなす。
【００２３】
上フレーム部１４は、幅方向に離間させて配置した左右の上フレーム要素１４１ａ、１４１ｂ同士を、弾性横架材１４２を以て相互に連結してなる。上フレーム要素１４１ａ、１４１ｂは例えば金属製の剛体であるが、弾性横架材１４２は例えば樹脂製の弾性体である。上フレーム要素１４１ａ、１４１ｂは、側面視ヒンジ１７の位置する下端から、幾分後方に凹むように緩やかに湾曲しつつ上方に延伸し、その上端近傍で再度前方に膨出する弓形をなす。
【００２４】
反力フレーム部１５は、上フレーム要素１４１ａ、１４１ｂの各々を支持する同数の反力フレーム要素１５１ａ、１５１ｂよりなる。反力フレーム要素１５１ａ、１５１ｂの一端部は上フレーム要素１４１ａ、１４１ｂの背面に連接し、他端部は下フレーム要素１３１ａ、１３１ｂの下向面に連接する。但し、反力フレーム要素１５１ａ、１５１ｂの他端部を、座３や背凭れ１を支持する基体２に固定することを妨げない。反力フレーム要素１５１ａ、１５１ｂは、例えば弾性横架材１４２と同質の樹脂製の弾性体とする。本実施形態にあって、反力フレーム要素１５１ａ、１５１ｂは、側面視下フレーム要素１３１ａ、１３１ｂ及び上フレーム要素１４１ａ、１４１ｂに沿うように延伸して略Ｌ字型をなすフレーム形状の樹脂ばねであり、幅寸法はフレーム要素１３１ａ、１３１ｂ、１４１ａ、１４１ｂと同程度かそれよりもやや狭小、前後または上下の厚みはフレーム要素１３１ａ、１３１ｂ、１４１ａ、１４１ｂよりも薄く（付け加えれば、フレーム要素１３１ａ、１３１ｂ、１４１ａ、１４１ｂと接合する端部から遠ざかるにつれて徐々に薄く）なるように成形している。これにより、反力フレーム要素１５１ａ、１５１ｂがフレーム要素１３１ａ、１３１ｂ、１４１ａ、１４１ｂから枝分かれした、背フレーム１１の一部であるかのような外観が形作られる。
【００２５】
下フレーム要素１３１ａ、１３１ｂと上フレーム要素１４１ａ、１４１ｂとを互いに枢着するヒンジ１７の周辺、具体的には下フレーム要素１３１ａ、１３１ｂの後端から上端近傍にかけて及び上フレーム要素１４１ａ、１４１ｂの下端近傍の範囲で、側面視フレームの前面が前方に膨出するような湾曲形状をなしている。既に述べたように、上フレーム要素１４１ａ、１４１ｂの上端近傍においても、側面視フレームの前面が前方に膨出するような湾曲形状をなしている。しかして、上記の下フレーム要素１３１ａ、１３１ｂ及び上フレーム要素１４１ａ、１４１ｂの湾曲形状をなす部位に架け渡すように、張り部材１２を張り設けている。
【００２６】
張り部材１２は、伸縮性に富む張り地１２１を主体とする。張り地１２１は、例えば合成繊維のダブルラッセルメッシュにさらにエラストマ糸等の弾性糸を編み込んだもので、強度とクッション性とを両備している。張り地１２１は、それぞれ伸縮変形可能なメッシュ地の表布と裏布とをダブルラッセル編みで立体的に縫い合わせてなり、表裏で見え方（色彩、模様、光沢等）が異なる。張り地１２１の上辺及び左右の側辺は、バックアップ材１２２で保形している。図１０に示すように、バックアップ材１２２は、左右両側に対をなす縦枠１２２ａ、１２２ｂと両縦枠１２２ａ、１２２ｂを連結する横枠１２２ｃとが正面視三方枠状または四方枠状をなし、前後方向に撓み変形可能な例えば樹脂製の薄板体で、特に張り地１２１の左右の側辺が内側方に撓もうとすることを防ぎ、張り地１２１を張った状態に保つ。図示例のバックアップ材１２２は、左右両側の縦枠１２２ａ、１２２ｂの上端部同士を横枠１２２ｃを介して相互に連結した正面視略三方枠状をなすものである。
【００２７】
バックアップ材１２２の上端部は、背フレーム１１の上端部に支持させる。本実施形態では、バックアップ材１２２の縦枠１２２ａ、１２２ｂの上端部に貫通孔１２２ｘを穿ち、その貫通孔１２２ｘにビスまたはピン等の止着具１９１を挿通して上フレーム要素１４１ａ、１４１ｂの上端部に止着している。一方で、バックアップ材１２２の下端部は、背フレーム１１の下端部に支持させる。本実施形態では、バックアップ材１２２の縦枠１２２ａ、１２２ｂの下端部及び中間よりやや下方の部位にそれぞれ上下方向に延伸する長孔１２２ｙを穿ち、それら長孔１２２ｙにビスまたはピン等の止着具１９２を挿通して各々を下フレーム要素１３１ａ、１３１ｂの下端部及び上端部に止着している。バックアップ材１２２の上端部は上フレーム要素１４１ａ、１４１ｂに対して固定されるが、下端部は下フレーム要素１３１ａ、１３１ｂに対して上下スライド可能となる。
【００２８】
背フレーム１１の上端部とヒンジ１７近傍との間は側面視後方に凹むように湾曲しており、縦枠１２２ａ、１２２ｂの中間部位が後方に撓み変形し得る余地を与えている。背フレーム１１の上辺をなす弾性横架材１４２もまた平面視後方に凹むように湾曲しており、横枠１２２ｃが後方に撓み変形し得る余地を与えている。
【００２９】
張り部材１２の上端部は左右の上フレーム要素１４１ａ、１４１ｂに装着して支持させ、下端部は左右の下フレーム要素１３１ａ、１３１ｂに装着して支持させる。張り地１２１を背フレーム１１に架設するに際しては、張り地１２１の上縁をバックアップ材１２２の横枠１２２ｃに、張り地１２１の左右の側縁をバックアップ材１２２の縦枠１２２ａ、１２２ｂに装着する。具体的には、図１０及び図１１に示すように、バックアップ材１２２の周端面、即ち横枠１２２ｃの上端面及び左右の縦枠１２２ａ、１２２ｂの外側端面にそれぞれ凹溝１２２ｚを形成し、凹溝１２２ｚに張り地１２１の三方の縁端を嵌め入れて係止する。張り地１２１の三方の縁端には、予め、長尺な薄板状をなす例えば樹脂製の縁端材１２１ｘを（縫合、接着、溶着等により）取り付けておく。さらに、張り地１２１の下縁を下フレーム部１３の所定部位に固定する。図示例では、張り地１２１の下縁にブラケット１２１ｙを取り付けておき、このブラケット１２１ｙを下フレーム部１３の剛性横架材１３２にボルト１９３等を用いて固定している。
【００３０】
総じて言えば、背フレーム１１の前面にバックアップ材１２２を、バックアップ材１２２の前面に張り地１２１を配している。このとき、バックアップ材１２２は板ばねの作用を営み、張り地１２１を前方に押圧して張り出させる。
【００３１】
因みに、張り部材１２の背後、着座者の腰部に対応する高さ位置に、ランバーサポートベルト１８を架け渡しておくこともできる。着座者が身体を背凭れ面Ｓに凭せかけた場合にも、ランバーサポートベルト１８を架け渡している部位はランバーサポートベルト１８の長さに応じた深度以上には後方に沈み込まない。ランバーサポートベルト１８の両端部は、バックアップ材１２２の左右の縦枠１２２ａ、１２２ｂに取着して支持させる。但し、ランバーサポートベルト１８の両端部を、左右の上フレーム要素１４１ａ、１４１ｂまたは下フレーム要素１３１ａ、１３１ｂに支持させることを妨げない。
【００３２】
本実施形態の椅子は、座３及び背凭れ１が連動して傾動するシンクロロッキング動作が可能である。図６に示すように、シンクロロッキング動作では、背フレーム１１全体が水平支軸１６回りに回動することで背凭れ１が前後に傾動する。同時に、座３の後端部が背フレーム１１に連動して上下に揺動し、かつ座３の前端部が前後にスライドする。
【００３３】
その上で、本実施形態の椅子は、着座者が着座したまま後ろを振り向いたり、手を伸ばしたり、身体をねじったりする動きに追随して、背凭れ面Ｓの上部の左半部のみ、または右半部のみを後方に変位させる動作が可能である。背凭れ面Ｓの上部を支持している上フレーム部１４は、左右に対をなす上フレーム要素１４１ａ、１４１ｂが互いに独立して前後動する。即ち、左側の上フレーム要素１４１ａは左側の下フレーム要素１３１ａにヒンジ１７を介して連結し、右側の上フレーム要素１４１ｂは右側の下フレーム要素１３１ｂにヒンジ１７を介して連結しており、これら上フレーム要素１４１ａ、１４１ｂが個別に回動し得る。
【００３４】
図７に示すように、上フレーム要素１４１ａ、１４１ｂをヒンジ１７回りに後傾させたとき、下フレーム要素１３１ａ、１３１ｂ及び上フレーム要素１４１ａ、１４１ｂの湾曲形状をなす部位に張り部材１２が接触する面積が徐々に増大するとともに、背フレーム１１の上端部と下端部との離間距離が拡大するために張り地１２１が張力を増しつつ上下に伸長する。また、同時に、バックアップ材１２２の下端部が長孔１２２ｙの寸法範囲内で下フレーム要素１３１ａ、１３１ｂに対し上下方向に相対変位する。並びに、反力フレーム要素１５１ａ、１５１ｂがアングルを拡げるように変形して反力を蓄積し、上フレーム要素１４１ａ、１４１ｂを原位置に復帰させる方向、つまり前方に弾性付勢する。
【００３５】
そして、何れか一方の上フレーム要素１４１ａ（１４１ｂ）を他方の上フレーム要素１４１ｂ（１４１ａ）に対し相対的に前後方向に変位させれば、図８、図９に示すように、背凭れ面Ｓの形状を三次元的に変化させることができる。この動作において、下フレーム部１３は必ずしも駆動されない。また、左右に対をなす下フレーム要素１３１ａ、１３１ｂは剛性横架材１３２を介して剛体連結されているため、それら下フレーム要素１３１ａ、１３１ｂは常に一体的に運動する。故に、背凭れ面Ｓの下部、着座者の腰部より下方にあたる部分は、恒常的に一定の形状を維持する。
【００３６】
着座者の動きに伴い、上フレーム要素１４１ａ、１４１ｂの一方が他方に対し相対的に前後動すると、左右の上フレーム要素１４１ａ、１４１ｂ間の距離が増大する。その際、両上フレーム要素１４１ａ、１４１ｂの離間距離の増大に対応するべく、弾性横架材１４２が弾性変形する。本実施形態の弾性横架材１４２は、上フレーム要素１４１ａ、１４１ｂの上端部同士を相互に連結しており、平面視後方に凹む湾曲形状をなす状態で組み付けてある。弾性横架材１４２の前後の厚みは、上フレーム要素１４１ａ、１４１ｂに連結している両端部から幅方向の中央に向かうにつれて徐々に薄くなっており、両端部よりも中間部の方が比較的変形し易くなっている。これは、上フレーム要素１４１ａ、１４１ｂと弾性横架材１４２との連結箇所に負荷が集中することを避けるためである。
【００３７】
ここで、上フレーム要素１４１ａ、１４１ｂと弾性横架材１４２との連結態様に関して補足する。上フレーム要素１４１ａ、１４１ｂは、上端で互いに相寄る内側方に接合端部を突き出させており、それら接合端部に弾性横架材１４２の両端部を連接する。図１２に示すように、上フレーム要素１４１ａ、１４１ｂの接合端部及び弾性横架材１４２の両端部の相互に向き合う端面の一方（図示例では、上フレーム要素１４１ａ、１４１ｂ側）には凸部１４１ｘを突設し、他方（図示例では、弾性横架材１４２側）には凹部１４２ｘを形成して、凸部１４１ｘを凹部１４２ｘに嵌め入れる嵌合構造を構築している。そして、嵌合の方向とは交差する方向からボルト１９４を螺入して凸部１４１ｘと凹部１４２ｘの周壁とを螺合緊締することで、上フレーム要素１４１ａ、１４１ｂの接合端部と弾性横架材１４２の端部とを結合する。図示例では、ボルト１９４を前方より螺入しており、このボルト１９４は背フレーム１１に張り設けられる張り部材１２によって略隠蔽される。
【００３８】
上フレーム要素１４１ａ、１４１ｂの一方が他方に対し相対的に前後動するとき、弾性横架材１４２は曲率を減少させるように変形して両端間の距離を伸張する。
【００３９】
加えて、背凭れ面Ｓが受けた着座者の荷重は、張り部材１２を介して上フレーム要素１４１ａ、１４１ｂに作用し、上フレーム要素１４１ａ、１４１ｂを内側方に倒れ込ませようとしてヒンジ１７に負荷をかける。このような負荷を打ち消し低減する目的で、弾性横架材１４２を、上フレーム要素１４１ａ、１４１ｂを幅方向に離反させるような初期弾性力を発揮する状態で組み付けている。
【００４０】
尤も、左右両側の上フレーム要素１４１ａ、１４１ｂをともに傾動させることもできる。その場合、例えば着座者の背を大きく反らせるようなストレッチが可能になる。
【００４１】
本実施形態によれば、幅方向に離間させて配置した複数のフレーム要素１４１ａ、１４１ｂにより背凭れ面Ｓの上部を支持させた背凭れ１を具備する椅子において、各フレーム要素１４１ａ、１４１ｂを互いに独立して前後動可能としたため、背凭れ面Ｓの上部の左半部のみ、または右半部のみを後方に変位させることが可能となる。そして、着座者が後ろを振り向く等の動きに追随して背凭れ面Ｓの形状を三次元的に変化させることができ、着座者の所作を徒に制限せずその身体を好適に支持し続ける良好な座り心地の椅子が実現される。
【００４２】
背凭れ面Ｓの上部を支持する複数の上フレーム要素１４１ａ、１４１ｂの各々を、背凭れ面Ｓの下部を支持する下フレーム要素１３１ａ、１３１ｂを変位させることなく個別に前後方向に変位させ得るものとしており、着座者が後ろを振り向くような所作を行うときの自然な体位に的確にフィットして着座者に余計な負担をかけにくい。
【００４３】
前記上フレーム要素１４１ａ、１４１ｂを前記下フレーム要素１３１ａ、１３１ｂにそれぞれヒンジ１７を介して連結して、上フレーム要素１４１ａ、１４１ｂの一方を他方に対し相対的に後傾させ得るように構成しており、背凭れ面Ｓの全体を一体的に傾動させるロッキング動作と、背凭れ面Ｓの上部のみを傾動させる背凭れ面変形動作とを選択的に実行可能となっている。無論、ロッキング動作と背凭れ面変形動作とを同時に惹起することも可能であり、着座者が着座したままで様々な姿勢をとり得る。
【００４４】
背凭れ面Ｓの上部を支持するフレーム要素１４１ａ、１４１ｂの背面に連接し弾性変形により反力を蓄積する反力フレーム要素１５１ａ、１５１ｂを設け、反力フレーム要素１５１ａ、１５１ｂによってフレーム要素１４１ａ、１４１ｂを後方より支持しているため、ヒンジ１７部分に巻きばね等を内装する必要がなく、ヒンジ１７部分を肥大化させずに済む。並びに、反力フレーム要素１５１ａ、１５１ｂを背フレーム１１の一部であるかのような外観に成形して、反力フレーム要素１５１ａ、１５１ｂの存在に違和感を持たせない、ひいては家具としての美観、格調を保つことも可能となる。
【００４５】
背凭れ面Ｓの上部を支持するフレーム要素１４１ａ、１４１ｂが、背凭れ面Ｓを介して間接的に着座者の荷重を受けて幅方向に倒れようとすることに対しては、フレーム要素１４１ａ、１４１ｂ同士を弾性変形可能な横架材１４２を介して相互に連結することで対処している。
【００４６】
しかも、背凭れ面Ｓに荷重がかかりフレーム要素１４１ａ、１４１ｂが内側方に倒れ込もうとすることに対して、前記横架材１４２を、前記フレーム要素１４１ａ、１４１ｂを幅方向に離反させるような初期弾性力を発揮する状態で組み付けているため、フレーム要素１４１ａ、１４１ｂ及びヒンジ１７に加わる負荷を打ち消し低減することができる。
【００４７】
また、着座者の動きに伴い、フレーム要素１４１ａ、１４１ｂの一方が他方に対し相対変位してフレーム要素１４１ａ、１４１ｂ同士の離間距離が増大する。従って、前記横架材１４２を、平面視湾曲形状をなす状態で組み付け、前記フレーム要素１４１ａ、１４１ｂの一方が他方に対し相対的に前後動するに際して曲率を減少させるように変形するものとして、フレーム要素１４１ａ、１４１ｂ同士の離間距離の増大に対応できるようにしている。
【００４８】
複数のフレーム要素１４１ａ、１４１ｂの前面に弾性変形可能な張り部材１２を張り設けて背凭れ面Ｓを構成することにより、着座者の様々な動きに追随して変形し、身体の広範囲にフィットして、負担の少ない柔らかな座り心地を提供できる。
【００４９】
さらに、剛性を有する第一の部材（下フレーム要素１３１ａ、１３１ｂ）と、前記第一の部材に対して相対移動可能で剛性を有する第二の部材（上フレーム要素１４１ａ、１３１ｂ）と、一端部及び他端部をそれぞれ前記第一の部材及び第二の部材に接続してなり反力を蓄積可能であるばね部材（反力フレーム要素１５１ａ、１５１ｂ）とを具備するとともに、前記ばね部材が前記第一の部材及び前記第二の部材に沿って延伸するフレーム形状をなす部材の接続構造を構成している。
【００５０】
前記第一の部材及び前記第二の部材が何れもフレーム状の部材であるとともに、前記ばね部材を、前記第一の部材及び前記第二の部材と略平行に配している。
【００５１】
前記第一の部材と前記第二の部材とを端部において互いに枢着している。
【００５２】
前記第一の部材が椅子の背凭れ下部を構成する下フレーム要素であるとともに、前記第二の部材が背凭れ上部を構成する上フレーム要素である。
【００５３】
あるいは、前記第一の部材が椅子の座及び背凭れを支持する基体であるとともに、前記第二の部材が椅子の背凭れの少なくとも一部を構成する背フレームである。
【００５４】
前記下フレーム要素、この下フレーム要素の上端に下端を枢着した前記上フレーム要素、及び、これら下フレーム要素と上フレーム要素とを接続する前記ばね部材を少なくとも左右一対に具備する背フレームを設けているとともに、左右の前記上フレーム要素がそれぞれ独立に傾動可能である。
【００５５】
なお、本発明は以上に詳述した実施形態に限られるものではない。逐条的に述べると、上フレーム要素の下フレーム要素に対する相対変位、即ち上フレーム要素のヒンジ回りの回動を禁止して上フレーム要素ひいては背凭れ面の上部の相対位置を固定する機構を設けてもよい。例えば、下フレーム要素と上フレーム要素との間にプッシュロック式ガススプリングを介設し、ガススプリングの伸縮動作を禁止することで上フレーム要素の相対位置に固定することが考えられる。あるいは、下フレーム要素と上フレーム要素との双方に係合して両者の相対変位を禁止するストッパを突没させるような機構を実装することも考えられる。
【００５６】
上フレーム要素を回動可能に支持するヒンジの回転軸の向きは、略水平な幅方向とは限られない。ヒンジの回転軸が水平より傾いていてもよく、さらには背凭れ面に略平行に直立していてもよい。要するに、上フレーム要素における、背凭れ面の上部を支持する部位が前後動可能であればよい。図１３ないし図１５に例示するように、背フレーム１１が、背支桿１１１と、背支桿１１１にヒンジ１７を介して連結している上フレーム要素１４１ａ、１４１ｂとを備え、上フレーム要素１４１ａ、１４１ｂが略直立する軸回りに（または、背凭れ面Ｓに略平行な軸回りに）回動して前後方向に変位するものであっても構わない。
【００５７】
図１６ないし図１８に例示するように、反力フレーム要素１５１ａ、１５１ｂの他端部を、座３や背凭れ１を支持する基体２に固定することを妨げない。
【００５８】
図１７に例示するように、上フレーム要素１４１ａ、１４１ｂを、基体２に対して回動可能に連結する態様もとり得る。
【００５９】
図１８に例示するように、下フレーム要素と上フレーム要素とを一体化し、その一体化した左右のフレーム要素１１２が互いに独立して前後動するものとしてもよい。
【００６０】
下フレーム要素が樹脂成形品等である場合、下フレーム要素と反力フレーム要素とを一体成形することも可能である。同様に、上フレーム要素と反力フレーム要素とを一体成形することも可能である。
【００６１】
背凭れ面を構成する張り部材は、ダブルラッセルメッシュには限られない。柔軟な面材であれば、例えばエラストマ樹脂材等であってもよい。
【００６２】
その他各部の具体的構成や処理の手順等は、本発明の趣旨を逸脱しない範囲で種々変形が可能である。
【符号の説明】
【００６３】
Ｓ…背凭れ面
１…背凭れ
１２…張り部材
１３１ａ、１３１ｂ…下フレーム要素
１４１ａ、１４１ｂ…上フレーム要素
１４２…弾性横架材
１５１ａ、１５１ｂ…反力フレーム要素
１７…ヒンジ
【図１】
2011120933.tif 000003
【図２】
2011120933.tif 000004
【図３】
2011120933.tif 000005
【図４】
2011120933.tif 000006
【図５】
2011120933.tif 000007
【図６】
2011120933.tif 000008
【図７】
2011120933.tif 000009
【図８】
2011120933.tif 000010
【図９】
2011120933.tif 000011
【図１０】
2011120933.tif 000012
【図１１】
2011120933.tif 000013
【図１２】
2011120933.tif 000014
【図１３】
2011120933.tif 000015
【図１４】
2011120933.tif 000016
【図１５】
2011120933.tif 000017
【図１６】
2011120933.tif 000018
【図１７】
2011120933.tif 000019
【図１８】
2011120933.tif 000020